(57)【要約】      （修正有）【課題】給紙装置のピックアップローラの摩損を減らすと共に、単一紙の給紙の信頼度を増すこと。【解決手段】ピックアップローラ１００、ピックアップローラの両端の外側に位置する二つの弾性アーム４２０を具えて二つの弾性アームの末端がピックアップローラ表面の弾性アームに近い部分の下方に位置するピックアップ弾性アーム、弾性アームの前方に置かれた分紙片を包含する。弾性アームとピックアップローラが未接触であるため弾性アームがピックアップローラの表面を摩擦せず、これによりピックアップローラの摩損を減らせる。並びに弾性アームがピックアップローラと接触しないため予圧力を弾性アームに作用させる必要がなく、これにより単一紙を送る時、紙が弾性アームを容易に押し開いて適当な前進力を獲得し、これにより単一紙の給紙の信頼度を増す。【選択図】図６
0003137976.tif 000002
【実用新案登録請求の範囲】
【請求項１】
給紙装置において、
ピックアップローラと、
ピックアップ弾性アームであって、上述のピックアップローラの両端の外側に位置する二つの弾性アームを具え、該二つの弾性アームの末端が該ピックアップローラ表面の弾性アームに接近する部分の下方に位置する上記ピックアップ弾性アームと、
該弾性アームの前方に置かれた分紙片と、
を包含したことを特徴とする、給紙装置。
【請求項２】
請求項１記載の給紙装置において、サポートフレームを更に包含し、該サポートフレームは該ピックアップローラの上方に置かれ、該サポートフレームは載置板を具え、該ピックアップ弾性アームが保持部を具え、該保持部が該載置板上に固定され、且つ該保持部が下向きに折り曲げられ延伸されて上述の弾性アームが形成されたことを特徴とする、給紙装置。
【請求項３】
請求項２記載の給紙装置において、該弾性アームが保持部より後ろ向きに延伸され更に下向き前向きに折り曲げられて延伸されて挟持部が形成され、該挟持部が該載置板を挟持し、該挟持部の末端が下向き前向きに折り曲げられて弾性部が形成され、該弾性部の末端がピックアップローラ表面の弾性アームに接近する部分の下方に位置することを特徴とする、給紙装置。
【請求項４】
請求項２記載の給紙装置において、プレスアームを更に包含し、該プレスアームが係止部と係止部より下向きに折り曲げられて延伸されてなる圧紙部を具え、この係止部がサポートフレームの載置板上に固定され、該圧紙部の下端がピックアップローラと距離を有することを特徴とする、給紙装置。
【請求項５】
請求項４記載の給紙装置において、載置板が下向きに傾斜するように折り曲げられて延伸されて板状を呈する当て板が形成され、該プレスアームの圧紙部が該当て板上に当接することを特徴とする、給紙装置。
【請求項６】
請求項２記載の給紙装置において、該分紙片が基板を具え、該基板が下向き前向きに折り曲げられ延伸されて連接部が形成され、該連接部の末端が前向きに折り曲げられ延伸されて分紙部が形成され、該基板が該サポートフレームの該載置板上に固定されたことを特徴とする、給紙装置。
【請求項７】
請求項６記載の給紙装置において、該給紙装置はカバーを包含し、該サポートフレームが該カバーに固定されることを特徴とする、給紙装置。
【請求項８】
請求項７記載の給紙装置において、該載置板の両側が上向きに垂直に延伸されて固定部が形成され、該固定部の前端が下向きに折り曲げられ延伸されて補助部が形成され、該固定部と該補助部がそれぞれ該カバーに固定されたことを特徴とする、給紙装置。
【請求項９】
請求項７記載の給紙装置において、復位モジュールを更に具え、該復位モジュールは押圧ブロックとねじりバネを包含し、該ねじりバネが横向きに設置された螺旋状のトルク部を具え、該トルク部上に二つの係止部があり、二つの係止部が該押圧ブロックと該カバーに係止され、該押圧ブロックが該分紙片の分紙部上を押圧することを特徴とする、給紙装置。
【請求項１０】
請求項９記載の給紙装置において、該ねじりバネが二つの上述のトルク部を具え、二つの該トルク部の間がＵ形の押圧部で連接され、該押圧部が該押圧ブロック上を押圧することを特徴とする、給紙装置。
【請求項１１】
少なくとも二つの、同軸に設置されたピックアップローラと、
ピックアップ弾性アームであって、少なくとも一つの弾性アームを具え、該弾性アームが上述のピックアップローラの間に位置し、且つ該弾性アームの末端が該ピックアップローラ表面の弾性アームに接近する部分の下方に位置する、上記ピックアップ弾性アームと、
該弾性アームの前方に置かれた分紙片と、
を包含したことを特徴とする、給紙装置。
【考案の詳細な説明】
【技術分野】
【０００１】
本考案は一種の給紙装置に係り、特に、スキャナ等のオフィス設備内に取り付けられる給紙装置であって、給紙トレイ中の紙をオフィス設備内に送るのに用いられる、給紙装置に関する。
【背景技術】
【０００２】
給紙装置は、プリンタ、複写機、スキャナ、多機能事務機等のオフィス設備中に広く応用され、それはオフィス設備の給紙トレイ中の紙を該オフィス設備内に送り画像処理に供する。オフィス設備内には、通常、二枚以上の紙が同時にオフィス設備内に進入するのを防止するための構造が設けられている。
【０００３】
特許文献１には一種の給紙装置が記載され、それはピックアップローラ、第１ピックアップ弾性アーム、第２ピックアップ弾性アーム、分紙片とストッパアームを包含する。該第１ピックアップ弾性アームと第２ピックアップ弾性アームの一端はピックアップ方向上にあってそれぞれピックアップローラの表面の異なる位置を押圧する。ストッパアームは第１ピックアップローラと第２ピックアップローラの間に位置する。分紙片は第２ピックアップローラの下方に位置し並びにピックアップローラに当接する。ピックアップ時に、紙は第１ピックアップ弾性アームを押圧し並びに第１ピックアップ弾性アームとピックアップローラの間に進入し、ピックアップローラの回転により紙が前方に移動し、これにより紙が第２ピックアップ弾性アームを通過した後に、分紙片とピックアップローラの間に進入し、さらに該給紙装置がオフィス設備内に向けてわずかに一枚の紙を送る。
【０００４】
【特許文献１】米国特許公告第５，５７３，３３８号明細書
【考案の開示】
【考案が解決しようとする課題】
【０００５】
特許文献１に記載の給紙装置は、ピックアップローラの回転の過程で、第１ピックアップ弾性アームが終始ピックアップローラ上を押圧し、これにより第１ピックアップ弾性アームが長期にピックアップローラを摩擦することでピックアップローラの摩損を形成しやすい。このほか、紙の未ピックアップ時に第１ピックアップ弾性アームがピックアップローラと接触し、第１ピックアップローラが予圧力をピックアップローラに作用させ、単一紙が送られる時、紙は第１ピックアップ弾性アームを押し広げて前進する十分な力を必要とし、このため使用者が力を入れずに紙を第１ピックアップ弾性アームとピックアップローラの間に挿入すると、紙は第１ピックアップ弾性アームを押し開く十分な力を得られないため、単一紙をピックアップできない問題が発生しやすい。
【０００６】
ゆえに、本考案の目的は、上述の周知の技術の欠点に対して、給紙装置のピックアップローラの摩損をなくし、単一紙の給紙の信頼度を増すことにある。
【課題を解決するための手段】
【０００７】
本考案は一種の給紙装置を提供し、それは、ピックアップローラ、ピックアップ弾性アームであって、二つの弾性アームを具えて該二つの弾性アームが上述のピックアップローラの両端の外側に位置し、且つ該二つの弾性アームの末端が該ピックアップローラ表面の弾性アームに接近する部分の下方に位置する上記ピックアップ弾性アーム、及び該弾性アームの下方に置かれた分紙片、を包含する。
【０００８】
本考案はまた一種の給紙装置を提供し、それは、少なくとも二つの同軸関係に設置されたピックアップローラ、ピックアップ弾性アームであって、少なくとも一つの弾性アームを具えて該弾性アームが該ピックアップローラの間に位置し、且つ該弾性アームの末端が該ピックアップローラ表面の弾性アームに接近する部分の下方に位置する上記ピックアップ弾性アーム、及び該弾性アームの下方に置かれた分紙片、を包含する。
【考案の効果】
【０００９】
本考案の給紙装置の弾性アームの末端はピックアップローラの一端の外側に位置し且つピックアップローラ表面の弾性アームに接近する部分の下方に位置し、このため弾性アームがピックアップローラを摩擦せず、これにより本考案の給紙装置はピックアップローラの摩損を減らせる。並びに、弾性アームがピックアップローラと接触しないため、予圧力を弾性アームに作用させる必要がなく、このため単一紙を給紙する時、紙が容易に弾性アームを押し開き適当な前進力を得られ、これにより本考案の給紙装置は単一紙の給紙の信頼度を増すことができる。
【考案を実施するための最良の形態】
【００１０】
図１は本考案の給紙装置１０の第１実施例を示し、この図に示されるように、本実施例の給紙装置１０は、スキャナ１に取り付けられ、該スキャナ１は更に給紙トレイ２０と給紙機構３０を具備する。給紙トレイ２０は紙（図示せず）を載置し、給紙装置１０は給紙トレイ２０中の紙を給紙機構３０に送るのに用いられる。給紙機構３０は紙をスキャナ１の対応位置に送り画像処理に供する。本考案中、紙の移動方向を給紙方向と定義し、給紙方向は前方と定義する。
【００１１】
図２から図５に示されるように、本考案の給紙装置１０はピックアップローラ１００、カバー２００、サポートフレーム３００、ピックアップ弾性アーム４００、プレスアーム５００、分紙片６００、及び復位モジュール７００を包含する。
【００１２】
該サポートフレーム３００はピックアップローラ１００の上方に置かれ、それは板状の載置板３１０を具えている。載置板３１０の上表面に上向きに垂直に三つの固定柱３１１が凸設されている。該載置板３１０の前端の中部が下向きに傾斜するよう延伸されて板状の当て板３２０が設けられる。該当て板３２０の両側の、載置板３１０の前端が下向きに傾斜するよう延伸されて、棒状の当接アーム３３０が設けられている。載置板３１０の両側が上向きに垂直に絵音信されて固定部３４０が設けられ、該固定部３４０の前端が下向きに折り曲げられ延伸されて補助部３５０が形成される。固定部３４０と補助部３５０はそれぞれカバー２００に固定される。
【００１３】
ピックアップ弾性アーム４００は金属板を加圧加工してなり、それは長方形板状の保持部４１０を具え、保持部４１０に円形と方形の保持孔４１１が設けられている。保持部４１０はサポートフレーム３００の載置板３１０上に置かれ、並びに保持孔４１１がサポートフレーム３００の載置板３１０の固定柱３１１に嵌合される。保持部４１０には後方に延伸された二つの、それぞれピックアップローラ１００の両端外側に位置する弾性アーム４２０が設けられる。弾性アーム４２０は保持部４１０の後辺の両端が後ろ向きに延伸され更に下向き前向きに折り曲げられてなる挟持部４２１を具え、挟持部４２１はサポートフレーム３００の載置板３１０上を挟持する。挟持部４２１の末端は下向き前向きに折り曲げられ弾性部４２２が形成され、該弾性部４２２の末端は上向きに折り曲げられてフック状を呈し、且つ弾性部４２２の末端はピックアップローラ１００表面の弾性アーム４２０に接近する部分の下方に位置し、該ピックアップローラ１００の表面の弾性アーム４２０に接近する部分は二つの弾性部４２２がある平面とピックアップローラ１００の表面の交叉する位置である。
【００１４】
プレスアーム５００はシート状プラスチック或いは金属板が折り曲げられてなり、それは板状を呈する係止部５１０と係止部５１０の前端より下向きに折り曲げられてなる圧紙部５２０を具えている。係止部５１０に係止孔５１１が開設されている。該係止孔５１１はサポートフレーム３００の固定柱３１１に嵌合され、これにより係止部５１０が該サポートフレーム３００の載置板３１０上に固定される。圧紙部５２０もまた板状を呈し、該圧紙部５２０の下端はピックアップローラ１００とある距離を有し並びに弾性アーム４２０の前方に位置する。
【００１５】
分紙片６００はプレスアーム５００の前方に置かれ、その摩擦係数は通常、紙と紙の間の摩擦係数より大きいが、ピックアップローラ１００の摩擦係数より小さい。該分紙片６００は板状を呈する基板６１０、基板６１０の前片が下向き前向きに折り曲げられ延伸されてなる連接部６２０、及び連接部６２０の末端が前向きに折り曲げられ延伸されてなる分紙部６３０を具えている。該基板６１０に貫通孔６１１が開設されている。貫通孔６１１はサポートフレーム３００の固定柱３１１に嵌合され、これにより基板６１０がサポートフレーム３００の載置板３１０上に固定される。分紙部６３０はピックアップローラ１００上に当接する。
【００１６】
復位モジュール７００は押圧ブロック７１０とバネ７２０を包含する。該押圧ブロック７１０は板状を呈する上板７１１を具えている。上板７１１より上向きに係止ブロック７１２が延伸されている。上板７１１の一側は斜め後ろに延伸されて二つの相互に離間した支持アーム７１３が設けられ、支持アーム７１３の末端より外向きに垂直に枢軸７１４が延伸されている。枢軸７１４はカバー２００（図示せず）に枢接される。バネ７２０は鉛直の螺旋状を呈し、該バネ７２０の一端は係止ブロック７１２に嵌合され並びに上板７１１に当接し、その別端はカバー２００に圧接する。
【００１７】
図１、２及び図６を参照されたい。弾性アーム４２０はピックアップローラ１００の両端外側に位置し且つ弾性アーム４２０の弾性部４２２の末端はピックアップローラ１００の表面の弾性アーム４２０に接近する部分の下方に位置し、給紙装置１０が給紙する時、給紙トレイ２０中に置かれた複数の紙の前端がピックアップ弾性アーム４００の弾性アーム４２０の弾性部４２２上を圧迫し、これにより紙が弾性部４２２の末端を押さえてそれをピックアップローラ１００表面の弾性アーム４２０に接近する部分の上方に位置させ、弾性部４２２は紙の押し込みによる弾性部４２２の移動により紙に圧力を加え、紙の張力作用によりこの圧力がピックアップローラ１００に伝えられ、ピックアップローラ１００に対して前向きの力を加える。ピックアップローラ１００はすなわち紙の前進力により摩擦力を発生し、これによりピックアップローラ１００の回転により紙が前向きに移動する。これにより弾性アーム４２０部分がまず一回紙のピックアップ動作を行い、該ピックアップ動作の後に複数の紙の一部分の前端が分紙片６００の分紙部６３０部分に移動する。このとき、紙はピックアップローラ１００に駆動されて前向きに移動する。このとき、プレスアーム５００の圧紙部５２０が紙を押圧して紙が湾曲して損傷するのを防止する。続いて分紙片６００の分紙部６３０が分紙動作を行い、分紙片６００の摩擦係数は紙の間の摩擦係数より高く、これにより一枚の紙だけが分紙部６３０とピックアップローラ１００の間に進入し、その他の紙は分紙片６００部分に阻止される。分紙部６３０とピックアップローラ１００の間に進入した紙は上向きに分紙部６３０を押圧し、分紙部６３０を上向きに弾性変形させると共に、分紙部６３０に復位モジュール７００の押圧ブロック７１０の上板７１１を押圧させ、上板７１１が枢軸７１４の周りで上向きに回転し、これにより上板７１１がバネ７２０を押圧する。紙が完全にピックアップされた後、バネ７２０の弾性回復により下向きに上板７１１が押圧され、上板７１１が分紙部６３０を押圧して該分紙部６３０をピックアップローラ１００に押しつけ、次の分紙動作を行う。
【００１８】
以上により、本考案の給紙装置１０の二つの弾性アーム４２０はそれぞれピックアップローラ１００の両端外側に位置し且つ弾性アーム４２０の弾性部４２２の末端がピックアップローラ１００の表面の弾性アーム４２０に近い部分の下方に位置し、これにより弾性アーム４２０が先に一回紙のピックアップ動作を行う。最後に一枚の紙が給紙装置１０を通過した後、弾性アーム４２０はピックアップローラ１００の表面を摩擦せず、これにより本考案の給紙装置１０はピックアップローラ１００の摩損を防止できる。このほか、弾性アーム４２０がピックアップローラ１００と接触しないため、予圧力を弾性アーム４２０に印加する必要がなく、これによりピックアップする紙が特に薄い単一紙であるときも、紙が容易に弾性アーム４２０を押し開き、適当な前進力を獲得し、これにより本考案の給紙装置１０の単一紙の給紙の信頼度を増すことができる。
【００１９】
図７を参照されたい。図７は本考案の給紙装置１０の第２実施例を示す。本実施例は第１実施例と類似するが、その異なるところは、給紙装置１０が二つの同軸に設置されたピックアップローラ１００’、ピックアップ弾性アームであって、二つの弾性アーム４２０’を具え、該弾性アーム４２０’の末端が二つのピックアップローラ１００’の間に位置し、且つ該弾性アーム４２０’の末端が二つのピックアップローラ１００’表面の弾性アーム４２０’に近い部分の下方に位置する。
【００２０】
図８及び図９は本考案の給紙装置１０の第３実施例を示す。本実施例は第１実施例に類似し、その異なるところは、復位モジュール７００が押圧ブロック７１０’とねじりバネ７４０を包含し、押圧ブロック７１０’が長板状を呈する上板７１１’を具え、上板７１１’の両端に軸部７１５’が凸設され、軸部７１５’に軸孔７１６’が開設される。ねじりバネ７４０は二つの横方向に設置された螺旋状のトルク部７４１を具え、二つのトルク部７４１の一端の間にＵ形を呈する押圧部７４２が接続され、該押圧部７４２が上板７１１’を押圧し、二つのトルク部７４１の別端が二つの係止部７４３を具えている。そのうち、一つの係止部７４３がカバー２００に係止され、もう一つの係止部７４３は押圧ブロック７１０の軸部７１２の軸孔７１６’内に係止される。
【００２１】
本実施例の給紙装置１０は紙をピックアップするとき、分紙部６３０とピックアップローラ１００の間に進入する紙が上向きに分紙部６３０を押して分紙部６３０を上向きに弾性変形させ、分紙部６３０に復位モジュール７００の押圧ブロック７１０’の上板７１１’を押圧させ、上板７１１’が分紙部６３０に伴い上向きに移動する。ねじりバネ７４０の押圧部７４２が上板７１１’を押圧し二つの係止分紙部７４３がそれぞれカバー２００の軸部７１５’の軸孔７１６’内に係止され、これによりねじりバネ７４０のトルク部７４１が弾性変形を発生する。紙が完全に取り込まれた後に、ねじりバネ７４０の弾性回復により下向きに上板７１１’が押圧され、上板７１１’が分紙部６３０を押して分紙部６３０にピックアップローラ１００上を押圧させ、次の分紙動作を行わせる。ねじりバネ７４０は横向きに設置され、これにより縦方向上の占用空間は小さく、有効に給紙装置１０の体積を減らすことができる。
【００２２】
本考案の給紙装置１０は以上に記載の構造によりその作用効果を達成し、且つ本考案は実用新案登録の要件を具備する。なお、以上の記述は本考案の請求範囲を限定するものではなく、本考案に基づきなし得る細部の修飾或いは改変は、いずれも本考案の請求範囲に属するものとする。
【図面の簡単な説明】
【００２３】
【図１】本考案の第１実施例の給紙装置がスキャナに取り付けられた立体組合せ図である。
【図２】本考案の給紙装置からカバーを取り除いた後の立体組合せ図である。
【図３】本考案の給紙装置のカバーの立体図である。
【図４】本考案の給紙装置の立体分解図である。
【図５】本考案の給紙装置の側面図である。
【図６】本考案の給紙装置の断面図である。
【図７】本考案の第２実施例の給紙装置のピックアップローラと弾性アームの構造表示図である。
【図８】本考案の第３実施例の給紙装置の立体組合せ図である。
【図９】本考案の第３実施例の給紙装置の復位モジュールの立体分解図である。
【符号の説明】
【００２４】
１０  給紙装置              １００、１００’  ピックアップローラ
２００  カバー              ３００  サポートフレーム
３１０  載置板              ３１１  固定柱
３２０  当て板              ３３０  当接アーム
３４０  固定部              ３５０  補助部
４００  ピックアップ弾性アーム            ４１０  保持部
４１１  保持孔                            ４２０、４２０’  弾性アーム
４２１  挟持部                            ４２２  弾性部
５００  プレスアーム                      ５１０  係止部
５２０  圧紙部                            ６００  分紙片
６１０  基板                              ６１１  貫通孔
６２０  連接部
６３０  分紙部                            ７００  復位モジュール
７１０、７１０’  押圧ブロック            ７１１、７１１’  上板
７１２  係止ブロック                      ７１３  支持アーム
７１４  枢軸                              ７１５’  軸部
７１６’  軸孔                            ７２０  バネ
７４０  ねじりバネ                        ７４１  トルク部
７４２  押圧部                            ７４３  係止部
２０  給紙トレイ                          ３０  給紙機構
【図１】
0003137976.tif 000003
【図２】
0003137976.tif 000004
【図３】
0003137976.tif 000005
【図４】
0003137976.tif 000006
【図５】
0003137976.tif 000007
【図６】
0003137976.tif 000008
【図７】
0003137976.tif 000009
【図８】
0003137976.tif 000010
【図９】
0003137976.tif 000011